(57)【要約】【課題】一種類のヒンジによりパネルを任意の角度にロックさせることができるパネル回動機構を提供する。【解決手段】電子機器の前面に配置されるパネル２を、電子機器本体に固定される固定部３ａ、４ａとパネルに固定される回動部３ｂ、４ｂとが回動自在にクリック作用を有するように連結されたヒンジ３、４で回動自在に支持するパネル回動機構において、パネル２の左右端部を支持する夫々の前記ヒンジ３、４のクリックホールド位置を互いに異ならせた。【選択図】        図１
2005273838.tif 000002
【特許請求の範囲】
【請求項１】
電子機器の前面に配置されるパネルを、電子機器本体に固定される固定部とパネルに固定される回動部とが回動自在にクリック作用を有するように連結されたヒンジで回動自在に支持するパネル回動機構において、前記パネルの左右端部を支持する夫々の前記ヒンジのクリックホールド位置を互いに異ならせたことを特徴とするパネル回動機構。
【請求項２】
電子機器の前面に配置されるパネルを、電子機器本体に固定される固定部とパネルに固定される回動部とが回動自在にクリック作用を有するように連結されたヒンジで回動自在に支持するパネル回動機構において、前記パネルの左右端部および中間部を支持する夫々の前記ヒンジのクリックホールド位置を互いに異ならせたことを特徴とするパネル回動機構。
【発明の詳細な説明】
【技術分野】
【０００１】
この発明は電子機器に係わり、特に、そのパネル回動機構に関する。
【背景技術】
【０００２】
従来、パネルを定位置まで回動させた状態で使用する電子機器が知られている。図６および図７によりそのような電子機器のパネル回動機構の例を説明する。図に示すメインパネル１は図示していない電子機器本体の前面に配置されている。メインパネル１の下方左右にはボス１ａ、１ａが突出するように形成されている。
【０００３】
サブパネル２は左側のヒンジ７と右側のヒンジ６により回動可能に支持されている。すなわち、ヒンジ７およびヒンジ６の固定部はボス１ａ、１ａして固定されており、固定部に回動自在に連結された夫々の回動部はサブパネル２に嵌合されてサブパネル２に固定されている。これらのヒンジ７およびヒンジ６は回動部が所定の位置に回動されたときにロックするようにクリック作用を備えている。
【０００４】
このようしてサブパネル２は図６に示す閉じられた位置と、図７に示す開かれた位置でロックされる。そして、サブパネル２が図６に示す閉じられた位置で電子機器が使用状態または不使用の状態となる。また、サブパネル２が図７に示す開かれた位置で電子機器は他の使用状態となる。
【０００５】
特開平１０−３１７７８７号公報にはパネルが特定の回動位置でロックされるパネル回動機構が示されている。
【特許文献１】特開平１０−３１７７８７号公報、段落００１０、図１
【発明の開示】
【発明が解決しようとする課題】
【０００６】
上記した従来のパネル回動機構ではロックするパネルの角度が変わる度に、ヒンジを特別に制作しなくてはならず、製造コストが高くなるという問題があった。
【０００７】
この発明は上記した点に鑑みてなされたものであって、その目的とするところは、一種類のヒンジによりパネルを任意の角度にロックさせることができるパネル回動機構を提供することにある。
【課題を解決するための手段】
【０００８】
この発明のパネル回動機構は、電子機器の前面に配置されるパネルを、電子機器本体に固定される固定部とパネルに固定される回動部とが回動自在にクリック作用を有するように連結されたヒンジで回動自在に支持するパネル回動機構において、前記パネルの左右端部を支持する夫々の前記ヒンジのクリックホールド位置を互いに異ならせたものである。  また、この発明のパネル回動機構は、電子機器の前面に配置されるパネルを、電子機器本体に固定される固定部とパネルに固定される回動部とが回動自在にクリック作用を有するように連結されたヒンジで回動自在に支持するパネル回動機構において、前記パネルの左右端部および中間部を支持する夫々の前記ヒンジのクリックホールド位置を互いに異ならせたものである。
【発明の効果】
【０００９】
この発明のパネル回動機構は、パネルを複数か所でロックする場合でも、１種類のヒンジを取付け姿勢を変えて複数個用いて構成できるので、ロックする角度に対応させてヒンジを準備する必要がなく、製造コストが安くなる。
【発明を実施するための最良の形態】
【００１０】
以下この発明を実施するための最良の形態を実施例に即して説明する。
【実施例１】
【００１１】
図１（ａ）はこの発明の実施例１であるパネル回動機構を示す斜視図、図１（ｂ）および（ｃ）は同パネル回動機構に取付けられたヒンジ３および４の図１（ａ）の姿勢を示す斜視図、図１（ｄ）は図１（ａ）におけるＤ部拡大図、図２（ａ）は同パネル回動機構の他の状態を示す斜視図、図２（ｂ）および（ｃ）は同パネル回動機構に取付けられたヒンジ３および４の図２（ａ）の姿勢を示す斜視図、図２（ｄ）は図２（ａ）におけるＤ部拡大図である。
【００１２】
図に示すメインパネル１は図示していない電子機器本体の前面に配置されている。メインパネル１の下方左右はボス１ａ、１ａが突出するように形成されている。サブパネル２は左側のヒンジ３と右側のヒンジ４により回動可能に支持されている。ヒンジ３とヒンジ４とは同一の部材であるが取付けられる姿勢が異なっている。
【００１３】
すなわち、ヒンジ３およびヒンジ４はサブパネル２が図１（ａ）に示す姿勢となるときに、夫々図１（ｂ）および図１（ｃ）に示す姿勢となるように取付けられている。ヒンジ３について説明すると、図１（ｄ）に示すように固定部３ａがボス１ａに嵌合されてボス１ａと一体に固定され、回動部３ｂがサブパネル２に嵌合されてサブパネル２と一体に固定されている。
【００１４】
固定部３ａと回動部３ｃは回動自在に連結されているが、図１（ｂ）に示すように固定部３ａの凸部３ｃと回動部３ｂの凸部３ｄの円周方向位置が一致した状態でクリックホールドされ、それ以外の状態でフリー状態となる。
【００１５】
このように構成されたパネル回動機構において、サブパネル２が図１（ａ）に示すように閉じられたときは、左側のヒンジ３がクリックホールドされ、サブパネル２はロックされる。また、サブパネル２が図２（ａ）に示すように開かれたときは、右側のヒンジ４がクリックホールドされサブパネル２はロックされる。
【００１６】
このように、サブパネル２は２か所の回動位置でロックされて夫々の使用状態または不使用状態となる。サブパネル２のロックされる角度を変更する場合にもヒンジの取付け姿勢を変更するだけでよく、同一のヒンジを用いることができ、製造コストを安くすることができる。
【実施例２】
【００１７】
図３この発明の実施例２であるパネル回動機構を示す斜視図、図４は同パネル回動機構の他の状態を示す斜視図、図５は同パネル回動機構のさらに他の状態を示す斜視図である。この例ではサブパネル２はメインパネル１の左右のボス１ａ、１ａにヒンジ３および４を介して回動自在に支持されている点は実施例１と同様である。
【００１８】
この例の実施例１と異なる点はサブパネル２の中央部においてもパネル２はメインパネル１のボス１ａにヒンジ５を介して支持されていること、およびヒンジ４の取付け姿勢である。このような構成のパネル回動機構では図３に示すサブパネル２が閉じられた状態で左側のヒンジ３がクリックホールドされ、サブパネル２はロックされる。
【００１９】
また、図４に示すように、サブパネル２が中間位置に開かれた状態で中央のヒンジ５がクリックホールドされ、サブパネル２はロックされる。さらに、図５に示すサブパネル２が全開位置に開かれた状態で右側のヒンジ４がクリックホールドされ、サブパネル２はロックされる。このようにサブパネル２を３か所の位置でロックさせることができる。
【００２０】
実施例は以上のように構成されているが発明はこれに限られず、例えば、パネルを４か所以上でロックさせるようにしてもよい。
【図面の簡単な説明】
【００２１】
【図１】図１（ａ）はこの発明の実施例１であるパネル回動機構を示す斜視図、図１（ｂ）および（ｃ）は同パネル回動機構に取付けられた部材の姿勢を示す斜視図、図１（ｄ）は図１（ａ）におけるＤ部拡大図である。
【図２】図２（ａ）は同パネル回動機構の他の状態を示す斜視図、図２（ｂ）および（ｃ）は同パネル回動機構に取付けられた部材の姿勢を示す斜視図、図２（ｄ）は図２（ａ）におけるＤ部拡大図である。
【図３】この発明の実施例２であるパネル回動機構を示す斜視図である。
【図４】同パネル回動機構の他の状態を示す斜視図である。
【図５】同パネル回動機構のさらに他の状態を示す斜視図である。
【図６】従来のパネル回動機構の例を示す斜視図である。
【図７】同パネル回動機構の他の状態を示す斜視図である。
【符号の説明】
【００２２】
１  メインパネル、１ａ  ボス
２  サブパネル
３  ヒンジ、３ａ  固定部、３ｂ  回動部、３ｃ  凸部、３ｄ  凸部
４  ヒンジ、４ａ  固定部、４ｂ  回動部、４ｃ  凸部、４ｄ  凸部
５  ヒンジ
６、７  ヒンジ
【図１】
2005273838.tif 000003
【図２】
2005273838.tif 000004
【図３】
2005273838.tif 000005
【図４】
2005273838.tif 000006
【図５】
2005273838.tif 000007
【図６】
2005273838.tif 000008
【図７】
2005273838.tif 000009